(57)【要約】【課題】  顔の筋肉に低周波パルスを印加することによって顔面筋肉のマッサージを行うことと、布や不織布や紙などから成るシート状体に化粧水などの美容液を浸含させたシートマスクを使用することと、をうまく組み合わせることで、顔面のパックとマッサージとを同時に行えるようにしたい。【解決手段】  電極である導子２０２，２０３，２０４とこれ等に共通の図示しないアース導子とが、マスク１５の裏面に設けられている。導子とアース導子とは図示しない低周波パルス電流発生装置の出力部に接続されている。またマスク１５は、顔面の中部、下部、上部に対応する、美容液を含浸させた不織布製の３枚のシート状体４０，４１，４２を介して顔面に被せられる。シート状体４０，４１，４２は、全てを使用するか、任意の２枚を組み合わせて用いるか、何れか１枚だけにするかを、ユーザーは自由に選択することが出来るようになっている。【選択図】図８
2020096806.tif 000002
【特許請求の範囲】
【請求項１】
低周波パルス電流の発生部と、このパルス電流を人体の顔面に印加するための対となる導子と、この導子を内側面に備えたマスクとから成り、このマスクと顔面との間に、低周波パルス電流を顔面に流すべく前記導子を顔面に間接的に接触させるための手段としての水または美容液を含んだシート状体を挟んで用いる、顔面美容システム。
【請求項２】
周波数の異なる２種のパルス電流の発生部と、各々のパルス電流を人体の顔面に印加するための各々のパルス電流毎に対となる導子と、これ等の導子を内側面に備えたマスクとから成り、このマスクと顔面との間に、低周波パルス電流を顔面に流すべく前記導子を顔面に間接的に接触させるための手段としての水または美容液を含んだシート状体を挟んで用いる、顔面美容システム。
【請求項３】
前記マスクが顔面の全体を覆う形のマスクである、請求項１または請求項２に記載の顔面美容システム。
【請求項４】
前記マスクが目かずらである、請求項１または請求項２に記載の顔面美容システム。
【請求項５】
前記マスクが口マスクである、請求項１または請求項２に記載の顔面美容システム。
【請求項６】
前記導子が大頬骨筋に当たる部位に設けられている、請求項１または請求項２に記載の顔面美容システム。
【請求項７】
前記マスクを顔面に接触させるための手段が頭部を巻くためのベルト様体、または前記マスクに設けたハンドル、である請求項１または請求項２に記載の顔面美容システム。
【請求項８】
前記シート状体が、複数に分割されている、請求項１または請求項２に記載の顔面美容システム。
【請求項９】
前記マスクの裏面が複数に区画されていると共に、前記シート状体が前記マスクの各々の区画に適合する形状に分割形成されている、請求項１または請求項２に記載の顔面美容システム。
【発明の詳細な説明】
【技術分野】
【０００１】  この発明は、化粧水等による顔面のパックを行うことと、顔の筋肉への低周波パルスの印加による顔面のマッサージを行うことと、を同時に行えるようにしたことを特徴とする美顔システムに関する。
【背景技術】
【０００２】  従来より、顔面の美容のためにパックが行われて来た。パックには蜂蜜入りヨーグルトや輪切りのフルーツ、時間と共に硬化して皮脂などを絡め取る薬液の塗布、美容液を浸含させたシートマスクなどがある。この内のシートマスクは、例えば目鼻口の部分が開口された顔面のほぼ全体を覆うことの出来る布や不織布や紙のシート状体に化粧水などの美容液を浸含させた状態で包装したものである。このため包装を破ればすぐに使い始めることが出来ると共に、使い終えたならばそのまま捨てることが出来て、便利で使い勝手の良いものとなっている。【０００３】  一方、顔面の筋肉を鍛えることで小顔を作ろうと言う美容法がある。一例として低周波パルス電流の発生装置と、この出力であるパルス電流を顔面の筋肉に印加するための導子とから成り、弾力性を有する二股状の持ち手の先にコロの機能を有する導子が設られているトレーニング器具を上げる。この使用法は、発生装置により低周波パルス電流を発生して２つのコロに印加し、二股状の持ち手を手で持って、この左右の先に設けられた左右のコロを筋肉がある部位の顔面の皮膚に押し当てつつ転がすようにして用いる。左右のコロを顔面に押し当てる力を加減することにより、左右の二股状の持ち手が幾分開いたり閉じたりするので、顔面に対して加わる負担は少ない。これにより顔面の筋肉に低周波パルスを効率よく加えることが出来る。なおコロの導子は一般的に導電ポリエステル製の電極になるものである。【０００４】  なお顔面の筋肉の重要な働きとして表情を司ることが上げられる。そのための表情筋の種類は４０種類以上あるが、中でもコミュニケーション上で重要な笑顔を作り出すことに関わっているのが大頬骨筋、小頬骨筋、笑筋、口輪筋、眼輪筋である。
【発明の概要】
【発明が解決しようとする課題】
【０００５】  上述したように顔面の美容のために有効なパックではあるが、使い始めたならば一定時間は動かないようにする必要があるため、テレビを見たり雑誌を読むなど静かにして時間を過ごすのが一般的である。【０００６】  またパルス電流を顔面の筋肉に印加することも、美容や上述した表情筋の鍛錬のために有効であるが、パルス電流を効果的に印加し続けるためには、電極が顔面に密着していて電気抵抗がより少ない状態である必要がある。【０００７】  当発明者は、上述したように有効な美顔方法の各々を、更に進化させることが出来ないだろうかと考えた。従ってこの発明はこのような問題点の解決を課題とするものである。
【課題を解決するための手段】
【０００８】  上記課題の解決に先立ち当発明者は、顔の筋肉に低周波パルスを印加することによって顔面のマッサージを行うことと、布や不織布や紙などを素材とするシート状体に化粧水などの美容液を浸含させたシートマスクを使用することと、をうまく組み合わせることで、顔面のパックとマッサージとを同時に行えるようにした美顔システムが提供出来るのではないか、と言う知見を得た。【０００９】  すなわち上記課題は、低周波パルス電流の発生部と、このパルス電流を人体の顔面に印加するための対となる導子と、この導子を内側面に備えたマスクとから成り、このマスクと顔面との間に、低周波パルス電流を顔面に流すべく前記導子を顔面に間接的に接触させるための手段としての水または美容液を含んだシート状体を挟んで用いる、顔面美容システムとすることにより達成される。この発明では化粧水等による顔面のパックを行うことと、このパックの導電性を利用して顔の筋肉に低周波パルスを印加することにより顔面のマッサージを行うことと、を同時に行えるようにしている。低周波パルス電流の発生部には一般的なものを使用して良いため、この発明の要部は低周波パルス電流を顔面に印加するための導子周りのシステムにあると言って良い。【００１０】  発生部から発振される低周波パルス電流は、導子から水や美容液を含んだシート状体を介して人体の顔面に印加される。低周波パルス電流はシート状体が接する皮膚に都合良く印加されることになる。この低周波パルス電流によって表情を作ったりする筋肉を収縮させるので、筋肉が鍛錬されて美容に効果がある。ここで重要なことは、水や美容液を含んだシート状体には美容パックの効果があることである。また導子が点状に設けられている場合であるとしても、導子は導電性を有する状態となっているシート状体を、顔面に導子本来の点ではなく、点の周辺を含む面で接する導子として広い面積で利用出来る点も重要である。すなわち導子周辺の導子となったシート状体から低周波パルス電流が皮膚に都合良く印加される効果があることである。従ってこの低周波パルス電流の顔面への印加は、テレビを見たり読書をしたりしている間にも実施することが可能であるし、家庭のみならず出先でのマッサージを可能にしている。【００１１】  また上記課題は、周波数の異なる２種のパルス電流の発生部と、各々のパルス電流を人体の顔面に印加するための各々のパルス電流毎に対となる導子と、これ等の導子を内側面に備えたマスクとから成り、このマスクと顔面との間に、低周波パルス電流を顔面に流すべく前記導子を顔面に間接的に接触させるための手段としての水または美容液を含んだシート状体を挟んで用いる、顔面美容システムとすることによって達成される。干渉波を利用する低周波パルス電流の発生部には一般的なものを使用して良いため、この発明の要部は周波数の異なる２種の低周波パルス電流を顔面に印加するための導子周りのシステムにあると言うことが出来る。【００１２】  低周波パルス電流を導子となったシート状体から顔面に印加して、化粧水等による顔面のパックと顔面のマッサージとを同時に行えるようにした美顔効果については、上述した請求項１の発明と同じであるが、更に効果的にパルス電流を印加��ようと言うのが、この請求項２の発明である。すなわち周波数の異なる２種の低周波パルス発振器（発生部）を用意し、ターゲットとなる顔面の筋肉中に、各々のパルス電流毎に対となる導子から２種の低周波パルス電流を交差させて加えて相互干渉を起こさせることにより、顔面の筋肉中に干渉波の低周波刺激を与えるようにするのである。なお各々のパルス電流毎に対となる導子に付いて、アース線を２種の低周波パルスの導子で共通とする設計が可能である。【００１３】  この発明のように化粧水等を含むシート状体による顔面のパックと、導子周辺の導子となったシート状体から都合良く顔面に印加される低周波パルスによるマッサージとを同時に行えるようにしたものはこれまでになく、また顔面に対となる２種の電極すなわち化粧水等を含むパックを対となる２種の電極として顔面に接触させる機能を有するものもこれまでになかった。【００１４】  次に上述した顔面美容システムに於いて、前記マスクが顔面の全体を覆う形のマスクであるものとすることが出来る。マスクが顔面の全体を覆うものであれば、顔面全体を刺激すべくより広い範囲に前記導子を配設することが出来る。【００１５】  また上述した顔面美容システムに於いて、前記マスクが目かずらであるものとすることが出来る。特に外眼筋眼輪筋や毛様体筋にパルス電流を印加しようと言う場合であれば、これ等の筋肉に相当する位置に前記導子を配設した目かずらが便利である。【００１６】  また上述した顔面美容システムに於いて、前記マスクが口マスクであるものとすることが出来る。特に口角挙筋、口輪筋、口角下制筋にパルス電流を印加しようと言う場合であれば、これ等の筋肉に相当する位置に前記導子を配設したマスクが便利である。【００１７】  また上述した顔面美容システムに於いて、前記導子が大頬骨筋に当たる部位に設けられているものとすることが出来る。大頬骨筋は頬の位置にあり、頬の位置を高く保ってシャープに見せる作用がある。従ってこの大頬骨筋に相当する位置に前記導子を配設しパルス電流を印加して大頬骨筋を鍛えることによって、皺や弛みを防いで若く見えるようにすることが出来る。【００１８】  さて上述した顔面美容システムに於いて、前記マスクを顔面に接触させるための手段が頭部を巻くためのベルト様体であるものとすることが出来る。マスクが顔面を覆い、導子が顔面のパックに触れるようにしてベルトを頭部の回りに巻くようにするのである。これにより導子を容易にかつ確実にパックに接触させて固定し得る。なおベルトにはバックルや面ファスナーなどの止め具を取り付けておく。【００１９】  また上述した顔面美容システムに於いて、前記マスクを顔面に接触させるための手段が前記マスクに設けたハンドルであるものとすることが出来る。すなわちハンドルを持ってマスクの導子を顔面のパックに触れたり離したりして使用するのである。マスクの導子が顔面のパックから離れると、低周波パルス電流は顔面を流れなくなり、筋肉への作用はなくなるものの、化粧水等による顔面のパックは継続される。従って顔面マッサージを一時的に止めたい場合にはハンドルを持つ手でマスクを顔面のパックから離せば良い。【００２０】  次に上述した顔面美容システムに於いて、���記シート状体が、複数に分割されているものとすることが出来る。上述したようにマスクが目かずらの場合は、この目かずらに適合する形状の目の周辺用のパックを用いるわけである。これに対してシート状体を、例えば額用、目の回り用、口の回り用、大頬骨筋の辺り用など必要な個所に分割されたセットとするのである。そうしておいて例えば顔面の全体を覆う形のマスクを用いて、今回は目の回り用と口の回り用との２か所を選択して、その部位のみパックを用いるようにするのである。【００２１】  また上述した顔面美容システムに於いて、前記マスクの裏面が複数に区画されていると共に、前記シート状体が前記マスクの各々の区画に適合する形状に分割形成されているものとすることが出来る。すなわちマスクを区画しておいて、この複数の区画の各々に適合する形状のシート状体を組物として用いるようにするのである。マスクが区画されているのでシート状体の取り付けが分かり易くて行い易い。
【発明の効果】
【００２２】  この発明では、低周波パルス電流の発生部に接続された導子を内側面に備えたマスクを顔面に被せた水または美容液を含んだシート状体の上に接触させて、低周波パルス電流を顔面に流すようにした。この結果、布や不織布や紙のシート状体に化粧水などの美容液を浸含させたシートマスクを使用することによる顔面の美容効果が得られ、シートマスクを導体とすることによって、同時に低周波パルスによる効率的な顔面のマッサージが出来るようになった。
【図面の簡単な説明】
【００２３】
【図１】実施例１の説明図である。
【図２】実施例１の低周波パルス電流発生装置の説明図である。
【図３】実施例１の使用状態を模式的に表した説明図である。
【図４】実施例２の説明図である。
【図５】実施例２の低周波パルス電流発生装置の説明図である。
【図６】実施例３の説明図である。
【図７】実施例４の説明図である。
【図８】実施例４の使用状態を模式的に表した説明図である。
【図９】実施例５の説明図である。
【図１０】実施例５の使用状態を模式的に表した説明図である。
【発明を実施するための形態】
【実施例１】
【００２４】  図１乃至図３によりこの実施例を説明する。図１は顔面の全体を覆うためのマスク１を裏面方向から見たものである。マスク１には口と目とを出すことが出来る口孔１０と目孔１１とが設けられていると共に、鼻が邪魔にならないようにするための鼻を入る鼻窪１２が形成されている。またマスク１の両縁部分には、頭に回してマスク１を固定するためのベルト１３が取り付けられている。【００２５】  マスク１の裏面には電極である導子２，２０，２１が配設されている。この内導子２はその下部が左右の大頬骨筋、小頬骨筋、頬筋及び笑筋に相当する辺りに設けられており、上部が大頬骨筋及び小頬骨筋に相当する辺りに設けられている。導子２０は口輪筋の下側部分に相当する辺りに掛かるように設けられている。また導子２１は左右の目輪筋の上側部分に相当する辺りに掛かるように設けられている。そして何れの導子２，２０，２１も電線２３によりコネクタ２２に接続されている。コネクタ２２は上記ベルト１３の両端部分（マスク１の両縁部に接続されている部位）に内蔵されている。一方ベルト１３のこの部位から下方に延びる、この実施例ではアースと称する共通電極であるアース導子２５が設けられており、アース導子２５は電線２４によりコネクタ２２に接続されている。このコネクタ２２は後述する低周波パルス電流発生装置の出力部３１に接続されている。【００２６】  低周波パルス電流発生装置は、これを構成する各種電子部品の動作を制御する制御部３と、低周波パルス電流を発振してその波形を成形する発振部波形成形部３０と、この低周波パルス電流を外部の導子２，２０，２１およびアース導子２５に出力するための出力部３１と、制御部３等に電力を供給するための電源部３２とから構成されている。【００２７】  図３で表すようにこの実施例のマスク１は、美容液を含浸させた不織布製のシート状体４で顔面全体をパックした上から被せられるものである。シート状体４の詳細は図示しないが、目孔と口孔とが開孔されていると共に、鼻の高さを避けることが出来る切れ込みが設けられているものである。すると顔面Ｆには、美容液を含浸させたシート状体４が接触し、その上に被せたマスク１の裏面の導子２，２０，２１がシート状体４に接触することになる。なおアース導子２５には、シート状体４の形状等によってシート状体４を介して耳の下あたりの皮膚に接触する場合と、シート状体４を介さないで接触する場合とがあろう。図中符号Ｍは模式的に表した顔面Ｆの奥の筋肉を指している。【００２８】  そこで上記電源部３２の図示しないスイッチをＯＮにすると、出力部３１から出力された低周波パルス電流は、マスク１の裏面の導子２，２０，２１と、耳の下あたりの皮膚に接触しているアース導子２５との間に発生して、これがシート状体４を介して顔面の筋肉Ｍに流され、大頬骨筋、小頬骨筋、頬筋、笑筋、口輪筋及び目輪筋がトレーニングされることになる。シート状体４は美容液を含んでいるためこれによる顔面の美容効果が得られると共に、低周波パルスによる効率的な顔面のマッサージ効果を得ることが出来る。【００２９】  なおこの実施例ではマスク１を顔面に固定するためにベルト１３を設けているが、この代わりに、図１にて鎖線で表したようなハンドル１４を取り付けて、このハンドル１４に上記アース導子を設けるようにしても良い。ハンドル１４を手で握るとアース導子が接触するので、そのままマスク１を顔面に当てるようにして使用するのである。なおハンドル１４にアース導子を設けない設計も可能である。
【実施例２】
【００３０】  図４及び図５によりこの実施例を説明する。図４は目かずら５を裏面方向から見たものである。符号Ｆは破線を指し、破線は顔面の輪郭を表したもので、顔面の表側を意味するものではない。この目かずら５には目を出すための目孔５１が設けられており、目かずら５の下縁部中央には鼻が邪魔にならないように鼻を避けるための切れ込み５２が設けられている。また目かずら５の両縁部には、耳に掛けることで目かずら５を固定するための耳掛け５０が取り付けられている。【００３１】  目かずら５の目孔５１の回りには、導電ポリエステル製の第一導子２６と第二導子２７との一対の電極が、左右５か所ずつ配設されている。この位置は目輪筋と、大頬骨筋及び小頬骨筋の一部とに掛かる部位である。そして第一導子２６は後述する低周波パルス電流発生装置の第一出力部６１に、第二導子２７は第二出力部６３に、各々図示しない電線により接続されている。また耳掛け５０の目かずら５の両縁部に接続されている部位には、この実施例ではアースと称する共通電極であるアース導子２８が設けられており、アース導子２８は図示しない電線により後述する低周波パルス電流発生装置に接続されている。請求項２の「各々のパルス電流を人体の顔面に印加するための各々のパルス電流毎に対となる導子」と言う記載には、この実施例のような共通電極であるアース導子２８を用いる構成を含んでいる。【００３２】  その低周波パルス電流発生装置はこれを構成する各種電子部品の動作を制御する制御部６と、低周波パルスを発振してその波形を成形する発振部波形成形部６０と、これを外部の第一導子２６に出力するための第一出力部６１と、発振部波形成形部６０の出力を変調する変調部６２と、これを外部の第二導子２７に出力するための第二出力部６３と、制御部６等に電力を供給するための電源部６４とから構成されている。【００３３】  従って、第一出力部６１から出力された低周波パルスは第一導子２６を介して目輪筋に流され、同時に第二出力部６３から出力された低周波パルスは第二導子２７を介して目輪筋に流され、目輪筋の内部で周波数の異なる２種の低周波パルスが干渉して新たな干渉波が生成される。このようにして目輪筋や大頬骨筋および小頬骨筋の一部がトレーニングされるのである。なお第一導子２６、第二導子２７、アース導子２８と目の回りの皮膚との間には、リラックス効果のある、適温の湯を含ませた図示しないシート状体を介在させている。
【実施例３】
【００３４】  図６は口マスク７を裏面方向から見たものであり、左右には耳掛け紐７０が取り付けられている。この口マスク７は図５の低周波パルス電流発生装置を利用してこれに接続されている。【００３５】  口マスク７にはアルミ箔による第一導子２９と第二導子２００とが、上下方向に交互に配設されている。また耳掛け紐７０の取り付け位置にはアース導子２０１が設けられている。このように構成されている口マスク７の各種電極と口の回りの皮膚との間には、牛乳を含ませた図示しないシート状体を介在させている。このようにして口回りや鼻唇溝辺りの牛乳パックと、低周波パルス電流による口輪筋や大頬骨筋及び小頬骨筋の一部のトレーニングとが同時に為されることになる。
【実施例４】
【００３６】  図７及び図８によりこの実施例を説明する。不織布製のシート状体４０，４１，４２はマスク１５の裏面に用いられるものであって、各々が導子２０２，２０３，２０４に対応している。シート状体４０は大頬骨筋及び小頬骨筋のある辺りの皮膚に、シート状体４１は口輪筋、頬筋及び笑筋がある辺りの皮膚に、またシート状体４２は左右の目輪筋の上側部分、前頭筋及び皺眉筋がある辺りの皮膚に接触させるためのものである。【００３７】  上述した実施例１ではマスク１のほぼ全面に適合する１枚のシート状体４を使用していた。これに対してこの実施例ではシート状体は３枚のシート状体４０，４１，４２に分割されてセットとなっている。そこで例えば図８で表したように、３枚のシート状体４０，４１，４２を全て使っても良いし、重点的に低周波パルス電流を流したいとする、例えばシート状体４１，４２のみを使用することが出来る。３枚のシート状体４０，４１，４２を全て使って低周波パルス電流を流した後に、一部分のシート状体を使って部分的に追加のトレーニングを施すと言うような使い方も可能である。【００３８】  図中符号ｍ１，ｍ２，ｍ３は顔面の各種筋肉を模式的に示している。各々のシート状体４０，４１，４２は美容液を含んでいるため、これを選択的に用いた部位では美容液による顔面の美容効果が得られるのであるが、更に低周波パルスによる効率的でしかも上述の選択的な顔面のマッサージ効果を得ることが可能になる。
【実施例５】
【００３９】  図９及び図１０は、上述した３枚のシート状体４０，４１，４２のためのマスク１６の実施例に係る。マスク１６には口と目とを出すことが出来る口孔１７と目孔１８とが設けられていると共に、鼻が邪魔にならないようにするための鼻を入る鼻窪１９が形成されている。マスク１６の左右の縁の各々２カ所には左右で対称となるようにして仕切り１００が設けられている。なおマスク１６の両縁部分には、頭に回してマスク１６を固定するための図示しないベルトが取り付けられているなど、マスク１６の構成は実施例１のマスク１の構成にほぼ倣うものである。【００４０】  従って仕切り１００は上述のシート状体４０，４１，４２をマスク１６の裏面に宛がう際の目安となる。シート状体４０，４１，４２の内からどのシート状体を選ぶにせよ組み合わせて用いるにせよ、目安としての仕切り１００の存在は有難い。【００４１】  このような実施例５の構成を活かして次のような使用法を提案することが出来る。すなわち図１０で表したように、筋肉ｍ１とｍ３とに対しては美容液のタイプが同じシート状体４０，４２を用い、筋肉ｍ１とｍ２とに対して上記とは異なるタイプの美容液のシート状体４３，４４を用いるのである。これにより仕切り１００による区画の内の中央部分に相当する筋肉ｍ１に対しては、シート状体４０，４３が二枚重なりで上記効果を発揮し、筋肉ｍ２に対してはシート状体４４が、また筋肉ｍ３に対してはシート状体４２がそれぞれ効果を発揮することになる。
【産業上の利用可能性】
【００４２】  この発明は顔面以外の体表面に適用して各部筋肉用に構成することが十分可能であり、その産業上の貢献度にも高いものがある。
【符号の説明】
【００４３】１    マスク      １０  口孔        １１  目孔          １２  鼻窪
１３  ベルト      １４  ハンドル    １５  マスク        １６  マスク
１７  口孔        １８  目孔        １９  鼻窪          １００仕切り
２    導子        ２０  導子        ２１  導子          ２２  コネクタ
２３  電線        ２４  電線        ２５  アース導子    ２６  第一導子
２７  第二導子    ２８  アース導子  ２９  第一導子      ２００第二導子
２０１アース導子  ２０２導子        ２０３導子          ２０４導子
３    制御部      ３０  発振部波形成形部  ３１  出力部  ３２  電源部
４    シート状体  ４０  シート状体  ４１  シート状体    ４２  シート状体
４３  シート状体  ４４  シート状体
５    目かずら    ５０  耳掛け      ５１  目孔          ５２  切れ込み
６    制御部      ６０  発振部波形成形部  ６１  第一出力部
６２  変調部      ６３  第二出力部  ６４  電源部
７    口マスク    ７０  耳掛け紐
Ｍ    筋肉        ｍ    筋肉        Ｆ    顔面
【図１】
2020096806.tif 000003
【図２】
2020096806.tif 000004
【図３】
2020096806.tif 000005
【図４】
2020096806.tif 000006
【図５】
2020096806.tif 000007
【図６】
2020096806.tif 000008
【図７】
2020096806.tif 000009
【図８】
2020096806.tif 000010
【図９】
2020096806.tif 000011
【図１０】
2020096806.tif 000012